(57)【要約】【課題】経鼻内視鏡用の前処置を効率化して患者の負担を軽減できる経鼻内視鏡用前処置具を提供する。【解決手段】経鼻内視鏡用前処置具１は、複数のスリット孔４を有する小径チューブ２と、小径チューブ２より短く、小径チューブ２をその前端側が突出する所定位置まで挿入可能な大径チューブ３とを備え、大径チューブ３は、少なくとも後端側に設けられ、その側壁を貫通する１以上の側孔８を備え、側孔８の周辺部において、その内周面と挿入された小径チューブ２の外周面との間に薬液が浸入可能な隙間を形成可能な内径を備える。【選択図】図１
2015202166.tif 000002
【特許請求の範囲】
【請求項１】
経鼻内視鏡を用いるに先立って鼻腔に挿入され、所定の処置を行うために用いられる経鼻内視鏡用前処置具であって、
後端部から注入される薬液を鼻腔内に塗布するために長さ方向の所定範囲にわたって複数の開口孔が設けられた小径チューブと、
前記小径チューブより短く、該小径チューブをその前端側から、該前端側が突出する所定位置まで、後端側から挿入可能な大径チューブとを備え、
前記大径チューブは、少なくとも後端側に設けられ、その側壁を貫通する１以上の側孔を備え、少なくとも該側孔の周辺部において、その内周面と挿入された小径チューブの外周面との間に該薬液が浸入可能な隙間を形成可能な内径を備えることを特徴とする経鼻内視鏡用前処置具。
【請求項２】
前記側孔は、前記大径チューブの前端側からの距離が同一である外周面上であって該大径チューブの中心軸線に対して相互に対称な位置に複数配置されていることを特徴とする請求項１記載の経鼻内視鏡用前処置具。
【請求項３】
前記小径チューブ及び前記大径チューブは、それぞれの後端部に、前記小径チューブを前記大径チューブに前記所定位置まで挿入したときに該小径チューブ及び該大径チューブを周方向に位置合せするための位置合せ部を備え、
前記側孔は、さらに、前記大径チューブの前端側にも設けられ、
前記位置合せがなされた状態において、該小径チューブの最後端の開口孔が、該大径チューブの内側且つ最前端の側孔の周辺部に位置することを特徴とする請求項１又は２経鼻内視鏡用前処置具。
【請求項４】
前記大径チューブの後端部には、該大径チューブが鼻腔内に入り過ぎるのを防止する過挿入防止プレートが設けられることを特徴とする請求項１〜３のいずれか１項記載の経鼻内視鏡用前処置具。
【発明の詳細な説明】
【技術分野】
【０００１】
本発明は、経鼻内視鏡を用いるに先立って鼻腔に挿入され、鼻腔内への麻酔薬等の塗布、鼻腔の拡張等の所定の処置を行うために用いられる経鼻内視鏡用前処置具に関する。
【背景技術】
【０００２】
従来、このような経鼻内視鏡用前処置具として、後端部から注入される麻酔薬等の薬液を鼻腔内に塗布するために、前端側に複数の開口孔を有する本体チューブを備えたものが知られている（例えば、特許文献１参照）。本体チューブの長さは、１０〜１５［ｃｍ］程度である。特許文献１のものにおいては、複数の開口孔は、本体チューブの前端部近傍における数センチメートルの範囲にわたって設けられる。
【０００３】
この経鼻内視鏡用前処置具においては、前処置に際し、本体チューブが鼻腔内に挿入され、本体チューブの後端部にシリンジのノズルが接続される。そして、シリンジ内のゼリー状の麻酔薬が本体チューブ内に押し出され、その麻酔薬が本体チューブの開口孔を経て、鼻腔内に塗布される。
【先行技術文献】
【特許文献】
【０００４】
【特許文献１】特開２００９−５０５４３号公報
【発明の概要】
【発明が解決しようとする課題】
【０００５】
しかしながら、このような従来の経鼻内視鏡用前処置具は、本体チューブの太さが一定である。このため、経鼻内視鏡を用いるに先立って鼻腔を適切に拡張する必要がある場合には、本体チューブの太さが異なる経鼻内視鏡用前処置具が複数用意される。そして、本体チューブの細い経鼻内視鏡用前処置具が始めに挿入され、その後、これを抜去してから、本体チューブの太いものが再度挿入される。
【０００６】
これによれば、本体チューブを複数回挿入する必要がある。このことは、経鼻内視鏡用の前処置を煩雑にしている。また、本体チューブが複数回挿入されると、患者が受ける負担も大きい。
【０００７】
本発明の目的は、かかる従来技術の課題に鑑み、経鼻内視鏡用の前処置を効率化して患者の負担を軽減できる経鼻内視鏡用前処置具を提供することにある。
【課題を解決するための手段】
【０００８】
本発明の経鼻内視鏡用前処置具は、経鼻内視鏡を用いるに先立って鼻腔に挿入され、所定の処置を行うために用いられる経鼻内視鏡用前処置具であって、後端部から注入される薬液を鼻腔内に塗布するために長さ方向の所定範囲にわたって複数の開口孔が設けられた小径チューブと、前記小径チューブより短く、該小径チューブをその前端側から、該前端側が突出する所定位置まで、後端側から挿入可能な大径チューブとを備え、前記大径チューブは、少なくとも後端側に設けられ、その側壁を貫通する１以上の側孔を備え、少なくとも該側孔の周辺部において、その内周面と挿入された小径チューブの外周面との間に該薬液が浸入可能な隙間を形成可能な内径を備えることを特徴とする。
【０００９】
経鼻内視鏡を用いる前に、本発明の経鼻内視鏡用前処置具により、前処置として、鼻腔の内壁へ薬液を塗布し、鼻腔を拡張する。前記薬液が麻酔薬である場合には、薬液の塗布により麻酔を行うことができる。
【００１０】
本発明の経鼻内視鏡用前処置具では、まず、大径チューブに小径チューブが挿入された状態で、大径チューブ及び小径チューブの外周面全体に薬液が塗布される。
【００１１】
大径チューブは、その側壁を貫通する側孔の周辺部において、その内周面と挿入された小径チューブの外周面との間に薬液が浸入可能な隙間を形成可能な内径を備える。これにより、大径チューブの側孔に塗布された薬液が側孔から内部へ浸入し、大径チューブの内周面と小径チューブの外周面との間に形成された前記隙間に浸入して滞留する。
【００１２】
次に、大径チューブ及び小径チューブの外周面全体に薬液が塗布された経鼻内視鏡用前処置具が、患者の鼻腔内に挿入される。
【００１３】
このとき、鼻腔内には、まず、大径チューブの前端から突出した小径チューブの前端側の部分が挿入され、その後、小径チューブと大径チューブとが重複した部分が挿入される。この挿入は、大径チューブの中間部程度まで行われる。したがって、患者に負担をかけることなく、小径チューブ及び大径チューブを鼻腔内に挿入することができる。
【００１４】
次に、鼻腔内に挿入された小径チューブの後端部にシリンジが接続され、シリンジ内の薬液が小径チューブに注入され、１分程度放置される。これにより、小径チューブの各開口孔から薬液が鼻腔内に漏出し、鼻腔壁に塗布される。すなわち、１次麻酔が行われる。
【００１５】
次に、小径チューブの位置が保持された状態で大径チューブが後端部まで挿入されることにより、鼻腔が拡張された後、小径チューブが大径チューブから引き抜かれる。そして、小径チューブの引き抜き後、数分間放置されることにより、大径チューブの外周面に塗布された薬液が鼻腔壁に塗布される。すなわち、２次麻酔が行われる。この後、大径チューブが引き抜かれ、前処置が完了する。
【００１６】
ところで、前記１次麻酔の間、大径チューブの後端側は、鼻腔内に挿入されずに鼻腔外に位置するので、大径チューブの後端側の外周面に塗布された薬液は、乾燥して減少し、前記２次麻酔の際に必要量を確保することができないことが懸念される。
【００１７】
しかしながら、本発明の経鼻内視鏡用前処置具では、前記２次麻酔で小径チューブが大径チューブから引き抜かれる際に、大径チューブの内周面と小径チューブの外周面との間に形成された前記隙間に滞留する薬液が、少なくとも後端側に設けられた側孔から大径チューブの外周面に漏出する。この結果、大径チューブの外周面には、塗布された薬液と、側孔から外周面に漏出した薬液とが存在することとなり、必要量の薬液を確保することができる。
【００１８】
したがって、本発明の経鼻内視鏡用前処置具によれば、前記２次麻酔に先だって、大径チューブの外周面に存在する薬液の不足を補うために、大径チューブを鼻腔外へ引き抜き、外周面に薬液を再度塗布し、大径チューブを鼻腔内へ再度挿入する等の処置を行う必要がない。これにより、本発明の経鼻内視鏡用前処置具によれば、経鼻内視鏡用の前処置を効率化して患者の負担を軽減することができる。
【００１９】
また、本発明の経鼻内視鏡用前処置具において、前記側孔は、前記大径チューブの前端側からの距離が同一である外周面上であって該大径チューブの中心軸線に対して相互に対称な位置に複数配置されていることが好ましい。これによれば、複数の側孔から大径チューブの外周面の広い範囲に薬液を漏出させ、鼻腔に対して塗布漏れなく２次麻酔を行うことができる。
【００２０】
また、本発明の経鼻内視鏡用前処置具において、前記小径チューブ及び前記大径チューブは、それぞれの後端部に、該小径チューブを該大径チューブに前記所定位置まで挿入したときに該小径チューブ及び該大径チューブを周方向に位置合せするための位置合せ部を備え、前記側孔は、さらに、前記大径チューブの前端側にも設けられ、前記位置合せがなされた状態において、該小径チューブの最後端の開口孔が、該大径チューブの内側且つ最前端の側孔の周辺部に位置する構成を備えることが好ましい。
【００２１】
前記構成を備える経鼻内視鏡用前処置具によれば、大径チューブに小径チューブが前記所定位置まで挿入され、前記位置合わせ部によって位置合わせがなされたとき、該小径チューブの最後端の開口孔は、該大径チューブの内側且つ最前端の側孔の周辺部に位置した状態となる。そして、この状態で、大径チューブ及び小径チューブの外周面全体に薬液が塗布され、経鼻内視鏡用前処置具が患者の鼻腔内に挿入されて、シリンジ内の薬液が小径チューブに注入される。
【００２２】
このとき、最前端の側孔の周辺部では、大径チューブの内周面と小径チューブの外周面との間に隙間が形成されていることにより、１次麻酔の際に、小径チューブに注入された薬液が、最後端の開口孔から前記隙間を介して該最前端の側孔から大径チューブの外周面へ漏出する。これにより、鼻腔壁の大径チューブの前端部が挿入された部分に薬液を塗布することができる。
【００２３】
したがって、前記構成を備える経鼻内視鏡用前処置具によれば、鼻腔壁の小径チューブが挿入された部分だけでなく、大径チューブの前端部が挿入された部分についても１次麻酔を行うことができる。
【００２４】
また、本発明の経鼻内視鏡用前処置具において、前記大径チューブの後端部には、該大径チューブが該鼻腔内に入り過ぎるのを防止する過挿入防止プレートが設けられてもよい。これによれば、鼻孔が標準よりも大きい場合でも、鼻腔内の奥まで大径チューブが入り過ぎるのを防止することができる。
【図面の簡単な説明】
【００２５】
【図１】本発明の一実施形態に係る経鼻内視鏡用前処置具の正面図である。
【図２】図１の経鼻内視鏡用前処置具の小径チューブの正面図である。
【図３】図１の経鼻内視鏡用前処置具の大径チューブの正面図である。
【図４】図３の大径チューブの大径側アダプタの前端側から見た正面図である。
【図５】図１の経鼻内視鏡用前処置具が鼻腔内に挿入される様子を示す図である。
【図６】図２の経鼻内視鏡用前処置具が鼻腔内に挿入される様子を示す図である。
【発明を実施するための形態】
【００２６】
以下、図面を用いて本発明の実施形態を説明する。実施形態の経鼻内視鏡用前処置具は、経鼻内視鏡を用いるに先立って、鼻腔に挿入され、所定の処置を行うために用いられる。所定の処置としては、例えば、鼻腔の内壁への薬液の塗布や、鼻腔の拡張等が該当する。前記薬液が麻酔薬である場合には、薬液の塗布により麻酔を行うことができる。
【００２７】
図１に示すように、経鼻内視鏡用前処置具１は、後端部から麻酔薬が注入される小径チューブ２と、小径チューブ２の外側に嵌合される大径チューブ３とを備える。本実施形態では、小径チューブ２の前端は閉じられているが、開いていてもよい。
【００２８】
図２に示すように、小径チューブ２には、開口孔としてのスリット孔４が設けられる。スリット孔４は、小径チューブ２に対してその後端部から注入される麻酔薬を鼻腔内に塗布し得るように、小径チューブ２の長さ方向における所定範囲にわたって複数が設けられる。
【００２９】
ここでは、小径チューブ２における前端側からほぼ四分の一程度後端側へ移動した位置
から中間点までの範囲にわたって、８つのスリット孔４が設けられる。具体的には、この範囲内における長さ方向に等間で定められた４箇所の位置ａ〜ｄそれぞれにおいて、２つずつのスリット孔４が設けられる。各位置ａ〜ｄにおける２つのスリット孔４は、小径チューブ２の中心軸線に関して相互に対称な位置に配置される。
【００３０】
各スリット孔４の長さ方向は、小径チューブ２の長さ方向に一致する。位置ａ及びｃのスリット孔４の周方向位置は同一である。位置ｂ及びｄのスリット孔４の周方向位置も同一である。ただし、位置ａ及びｃのスリット孔４の周方向位置と、位置ｂ及びｄのスリット孔４の周方向位置は、相互に小径チューブ２の中心軸線を中心とする中心角で９０°異なる。
【００３１】
例えば、位置ａは、小径チューブ２の前端から３０［ｍｍ］の箇所に設定される。位置ａ、ｂ間、位置ｂ、ｃ間、位置ｃ、ｄ間の間隔はいずれも１０［ｍｍ］である。また、各スリット孔４の長さは２［ｍｍ］である。
【００３２】
小径チューブ２の後端部には、小径側アダプタ５が設けられる。小径側アダプタ５の前端側には、前端側が開放された筒状部６が設けられる。筒状部６には、小径チューブ２の前端方向に向いた２つの凹部６ａが、相互に小径チューブ２の中心軸線に関して対称な位置に設けられる。
【００３３】
２つの凹部６ａの周方向位置は、位置ｂ及びｄそれぞれの２つのスリット孔４の周方向位置に一致する。小径側アダプタ５の後端部は、図示していないシリンジのノズルを小径チューブ２に接続するための接続部７を構成する。
【００３４】
図３に示すように、大径チューブ３は、小径チューブ２より長さが短くて径が大きく、小径チューブ２を内側に挿入して貫通させることが可能となっている。大径チューブ３の前端には、小径チューブ２が大径チューブ３に挿入されるとき及び挿入後において、小径チューブ２を支持する貫通孔３ａが設けられる。貫通孔３ａと小径チューブ２との間には、小径チューブ２の挿入後においても貫通孔３ａと小径チューブ２との間から薬液が漏出できる程度の隙間が設けられる。
【００３５】
大径チューブ３のほぼ中間の位置には、経鼻内視鏡用前処置具１を鼻腔内に挿入するときの、挿入量の目安となる目盛り線Ｌが設けられる。また、大径チューブ３の内周面により、管路３ｂが構成される。大径チューブ３前端の周縁部は、大径チューブ３が鼻腔内へ滑らかに挿入されるように、面取りが施されている。
【００３６】
大径チューブ３の前端側及び後端側には、その側壁を貫通する複数の側孔８が設けられる。
【００３７】
ここでは、大径チューブ３における前端側からほぼ五分の一程度後端側へ移動した位置から、ほぼ五分の四程度後端側へ移動した位置までの範囲にわたって、４つの側孔８が設けられる。具体的には、大径チューブ３の前端側からほぼ五分の一程度後端側へ移動した位置ｘと、ほぼ五分の四程度後端側へ移動した位置ｙとにおいて、２つずつの側孔８が設けられる。各位置ｘ、ｙにおける２つの側孔８は、大径チューブ３の中心軸線に関して相互に対称な位置に配置される。
【００３８】
大径チューブ３は、小径チューブ２が挿入された状態において、その内周面と小径チューブ２の外周面との間に薬液が浸入可能な隙間を形成可能な内径を備えている。
【００３９】
大径チューブ３の後端部には、小径チューブ２との位置関係を定めるための大径側アダプタ９が設けられる。大径側アダプタ９の後端部は、小径チューブ２の筒状部６の内側に嵌合させるのに適した形状を有する。
【００４０】
大径側アダプタ９には、その軸線方向に貫通し、大径チューブ３の管路３ｂに接続した貫通孔１０が設けられる。貫通孔１０は、小径チューブ２が大径チューブ３に挿入されるとき及び挿入後において、小径チューブ２を支持する。
【００４１】
大径側アダプタ９の外周の後端側には、その軸線方向に延在する２つのリブ状部１１が、大径側アダプタ９の中心軸線に関して相互に対称な位置に設けられる。各リブ状部１１の後端部は、小径チューブ２の凹部６ａに対応する凸部１１ａを構成する。２つの凸部１１ａの周方向位置は、大径チューブ３の位置ｘの２つの側孔８の周方向位置に一致する。凹部６ａ及び凸部１１ａは、本発明における位置合せ部に対応する。
【００４２】
したがって、大径側アダプタ９に対してその後端側から、小径チューブ２をその前端側から、凹部６ａに凸部１１ａが嵌合するまで挿入することにより、大径チューブ３と小径チューブ２との周方向における位置関係を決定することができる。このとき、大径側アダプタ９の後端部も、小径チューブ２の筒状部６の内側に嵌合する。これにより、図１に示すように、経鼻内視鏡用前処置具１は、小径チューブ２に大径チューブ３を装着した状態となる。
【００４３】
この状態において、小径チューブ２のスリット孔４のうちの最も後方に位置する位置ｄのスリット孔４の周方向位置は、大径チューブ３の前方側に位置する位置ｘの側孔８の周方向位置に一致する。また、位置ｄのスリット孔４は、大径チューブ３の内側に位置してその内周面に対向し、且つ位置ｘの側孔８よりも前方に位置する。
【００４４】
大径側アダプタ９のリブ状部１１の前端側に隣接する部分には、大径チューブ３が鼻腔内に挿入されたとき、該鼻腔内に入り過ぎるのを防止する過挿入防止プレート１２が設けられる。過挿入防止プレート１２の患者に接する側は、図４のように、直線状部分１３になっている。これにより、患者に違和感が生じるのを防止している。
【００４５】
次に、図１、５及び６を参照しながら、経鼻内視鏡用前処置具による前処置について説明する。
【００４６】
まず、大径側アダプタ９に対してその後端側から、小径チューブ２がその前端側から挿入され、小径チューブ２の前端部が貫通孔３ａから突出され、凹部６ａに凸部１１ａが嵌合するまで挿入する。これにより、図１に示すように、小径チューブ２に大径チューブ３が装着した状態となり、大径チューブ３と小径チューブ２との長さ方向における位置関係及び周方向における位置関係が決定される。このとき、位置ｄのスリット孔４は、大径チューブ３の内側に位置してその内周面に対向し、位置ｘの側孔８よりも前方に位置し且つ位置ｘの側孔８の周方向位置に一致する。
【００４７】
次に、麻酔薬としてキシロカインゼリーを用い、図１の状態の経鼻内視鏡用前処置具１の小径チューブ２及び大径チューブ３の外周面全体にキシロカインゼリーが塗布される。このとき、大径チューブ３の側孔８に塗布された薬液が、該側孔８から内部へ浸入し、大径チューブ３の内周面と小径チューブ２の外周面との間の隙間に侵入して滞留する。
【００４８】
次に、図５に示すように、経鼻内視鏡用前処置具１が、その前端側から、患者の鼻腔１４内に、目盛り線Ｌの位置まで挿入される。
【００４９】
このとき、鼻腔１４内には、まず、大径チューブ３の前端から突出した小径チューブ２の前端側の部分が挿入され、その後、大径チューブ３の部分が目盛り線Ｌの位置まで挿入される。このため、鼻腔１４への経鼻内視鏡用前処置具１の挿入は、患者に負担をかけることなく、無理のない態様で行われる。
【００５０】
次に、小径チューブ２の小径側アダプタ５の接続部７に、図示していないシリンジが接続される。そして、シリンジ内のキシロカインゼリーが小径チューブ２に注入され、１分程度放置される。これにより、小径チューブ２の各スリット孔４からキシロカインゼリーが鼻腔１４内に漏出して鼻腔壁に塗布され、１次麻酔が行われる。
【００５１】
このとき、大径チューブ３の凹部６ａと小径チューブ２の凸部１１ａとが嵌合しているので、小径チューブ２の位置ｄのスリット孔４と大径チューブ３の位置ｘの側孔８との周方向位置も一致している（図１参照）。また、小径チューブ２の外周面と大径チューブ３の内周面との間には隙間が存在する。
【００５２】
このため、位置ｄのスリット孔４が大径チューブ３の内側に存在するにも拘わらず、そのスリット孔４から漏出するキシロカインゼリーは、小径チューブ２と大径チューブ３の間の隙間を経て、大径チューブ３の位置ｘの側孔８及び貫通孔３ａから支障なく鼻腔１４内へ供給される。
【００５３】
このときに貫通孔３ａから供給されるキシロカインゼリーは、貫通孔３ａと小径チューブ２との間の環状の隙間の全周からほぼ均等に漏出する。このため、鼻腔内の貫通孔３ａ近傍の部分に対し、さらに効果的に麻酔薬が供給される。これにより、次の２次麻酔における大径チューブ３の後端部までの挿入が、よりスムーズに行われる。
【００５４】
次に、図６に示すように、小径チューブ２の位置が保持された状態で、大径チューブ３が、小径チューブ２をガイドとして、小径チューブ２上でスライドされることにより、後端部まで挿入される。これにより、鼻腔１４内の必要な部分の拡張が行われる。そして、小径チューブ２が大径チューブ３から引き抜かれた後に、３〜５分程度放置される。これにより、２次麻酔が行われる。
【００５５】
このとき、大径チューブ３が小径チューブ２上でスライドされることにより、大径チューブ３の内周面と小径チューブ２の外周面との間の隙間に侵入して滞留するキシロカインゼリーが、位置ｘ及びｙの側孔８から大径チューブ３の外周面に漏出する。この結果、大径チューブ３の外周面には、経鼻内視鏡用前処置具１を挿入前に塗布されたキシロカインゼリーと、側孔８から外周面に漏出したキシロカインゼリーとが存在することとなり、２次麻酔に必要な量のキシロカインゼリーを確保することができる。
【００５６】
そして、２次麻酔が完了すると、大径チューブ３が鼻腔１４から引き抜かれ、経鼻内視鏡用の前処置が終了する。すなわち、経鼻内視鏡を使用できる状態となる。
【００５７】
以上のように、本実施形態によれば、１次麻酔に際しては、経鼻内視鏡用前処置具１が、大径チューブ３に小径チューブ２を挿入した状態で目盛り線Ｌまで鼻腔１４内に挿入される。そして、２次麻酔に際しては、大径チューブの後端部まで鼻腔１４内に挿入され、小径チューブ２が引き抜かれる。
【００５８】
したがって、大径のチューブと小径のチューブを用意し、これらを別個に挿入する場合に比べて、経鼻内視鏡用の前処置としての鼻腔１４へのキシロカインゼリーの塗布及び鼻腔１４の拡張を効率的に行うことができる。これにより、患者の負担を軽減することができる。
【００５９】
その際、位置ｄのスリット孔４と大径チューブ３とが位置的に重複しているにも拘らず、小径チューブ２内のキシロカインゼリーが、位置ｄのスリット孔４から大径チューブ３の側孔８及び貫通孔３ａを経て漏出し、支障なく、鼻腔１４内に供給することができる。
【００６０】
したがって、大径チューブ３を、鼻腔１４の拡張に必要な十分な長さを有するものとして構成しながら、鼻腔１４内の適切な位置にキシロカインゼリーを供給することができる。すなわち、効率的な経鼻内視鏡用の前処置を可能としながら、鼻腔１４内の経鼻内視鏡用前処置具１の挿入経路における最も狭い部分である中鼻道から後鼻孔にわたる領域１５（図５参照）に、キシロカインゼリーを効果的に塗布することができる。
【００６１】
また、大径チューブ３が小径チューブ２をガイドとして後端部まで鼻腔１４内に挿入されたときに、前記隙間に滞留するキシロカインゼリーが側孔８から大径チューブ３の外周面に漏出されるので、前処置中に乾燥によって減少したキシロカインゼリーの不足を補う必要がない。すなわち、キシロカインゼリーの不足を補うために、大径チューブ３を鼻腔１４外へ引き抜き、外周面にキシロカインゼリーを再度塗布し、大径チューブ３を鼻腔１４内へ再度挿入する等の処置を行う必要がなく、患者への負担を小さくすることができる。
【００６２】
また、大径チューブ３の後端部に過挿入防止プレート１２を設けたので、鼻孔が標準よりも大きい場合でも、鼻腔１４内の奥まで大径チューブ３が入るのを防止することができる。
【００６３】
なお、本発明は、上記実施形態に限定されない。例えば、小径チューブ２の開口孔としてのスリット孔４は、スリット状のものに限らず、他の形態の、例えば円形の開口孔であってもよい。また、位置合せ部として、凹部６ａ及び凸部１１ａの代わりに、位置合せ用のマークを採用してもよい。
【符号の説明】
【００６４】
１…経鼻内視鏡用前処置具、２…小径チューブ、３…大径チューブ、４…スリット孔（開口孔）、６ａ…凹部（位置合せ部）、８…側孔、１１ａ…凸部（位置合せ部）、１２…
過挿入防止プレート、１４…鼻腔。
【図１】
2015202166.tif 000003
【図２】
2015202166.tif 000004
【図３】
2015202166.tif 000005
【図４】
2015202166.tif 000006
【図５】
2015202166.tif 000007
【図６】
2015202166.tif 000008